(57)【要約】【課題】  各種のボード類、ペーパー類等、多種の掲示物を吊下げて掲示可能な掲示物ハンガーを提供する。【解決手段】  下端部にフック部７が形成された横長のレール部材３を壁面２にほぼ水平に取付け、該レール部材３の前面に、ペーパーＰの上端部をクリップして垂下させるペーパークリップ部１２を備えたカバー部材８を着脱自在に取付ける。【選択図】図３
2005141000.tif 000002
【特許請求の範囲】
【請求項１】
下端部にフック部が形成された横長のレール部材を壁面にほぼ水平に取付け、該レール部材の前面に、ペーパーの上端部をクリップして垂下させるペーパークリップ部を備え、かつ前記レール部材におけるフック部を除く部分を覆うカバー部材を着脱自在に取付けたことを特徴とする掲示物ハンガー。
【請求項２】
レール部材の取付基部の上下に前方に突出する上部係止片および下部係止片を形成し、該取付基部の下端部に該取付基部の全長にわたるフック部を形成し、カバー部材の後部に形成した係合溝および係止突片を各々前記上部係止片および前記下部係止片と係合させたことを特徴とする請求項１記載の掲示物ハンガー。
【請求項３】
カバー部材の後面部にレール部材に吸着する磁石を取付けたことを特徴とする請求項１または２記載の掲示物ハンガー。
【請求項４】
レール部材のフック部に、筆記ボードを掛止したことを特徴とする請求項１〜３のいずれか１項に記載の掲示物ハンガー。
【請求項５】
カバー部材の前部に設けられたペーパークリップ部を、垂直部と該垂直部の前方に位置して該垂直部の方向に傾斜して下方に突出する傾斜壁とにより形成された空間部にクリップローラを挿入し、該クリップローラと前記垂直部との間でペーパーをクリップするものとしたことを特徴とする請求項１〜４のいずれか１項に記載の掲示物ハンガー。
【請求項６】
ペーパークリップの垂直部とフック部に掛止した筆記ボードの筆記面とを、同一面上に配置したことを特徴とする請求項５記載の掲示物ハンガー。
【発明の詳細な説明】
【技術分野】
【０００１】
本発明は、ミーティングエリア等において筆記ボードやペーパー等を吊下げて掲示するための掲示物ハンガーに関する。
【背景技術】
【０００２】
従来、部屋のコーナー部にハンガーレールを取付けてこれに各種インテリヤ類を吊下げて配置するハンガーレールシステムが知られている(例えば、特許文献１参照)。
また、ペーパーの掲示物を掲示するものとして、磁石付きのペーパーホルダを使用する手段も開示されている（例えば、特許文献２参照）。
【特許文献１】特開平９−１９３４８号公報（図１）
【特許文献２】特開平８−３３２７９３号公報（図２）
【発明の開示】
【発明が解決しようとする課題】
【０００３】
しかし、上記特許文献１の技術では、掲示物がペーパーの場合、ハンガーレールに直接吊下げることができないので、別途にペーパークリップ等を用意する必要がある。
【０００４】
また、特許文献２の技術では、壁面がスチール等の磁性体の場合しか適用できず、汎用性に欠けるという問題がある。
【０００５】
本発明は、従来の技術が有する上記のような問題点に鑑み、各種のボード類、ペーパー類等、多種の掲示物を吊下げて掲示可能な掲示物ハンガーを提供することを目的としている。
【課題を解決するための手段】
【０００６】
本発明によると、上記課題は、次のようにして解決される。
【０００７】
(１) 下端部にフック部が形成された横長のレール部材を壁面にほぼ水平に取付け、該レール部材の前面に、ペーパーの上端部をクリップして垂下させるペーパークリップ部を備え、かつ前記レール部材におけるフック部を除く部分を覆うカバー部材を着脱自在に取付ける。
【０００８】
(２)  上記(１)項において、レール部材の取付基部の上下に前方に突出する上部係止片および下部係止片を形成し、該取付基部の下端部に該取付基部の全長にわたるフック部を形成し、カバー部材の後部に形成した係合溝および係止突片を各々前記上部係止片および前記下部係止片と係合させる。
【０００９】
(３)  上記(１)または(２)項において、カバー部材の後面部にレール部材に吸着する磁石を取付ける。
【００１０】
(４)  上記(１)〜(３)項のいずれかにおいて、レール部材のフック部に筆記ボードを掛止する。
【００１１】
(５)  上記(１)〜(４)項のいずれかにおいて、カバー部材の前部に設けられたペーパークリップ部を、垂直部と該垂直部の前方に位置して該垂直部の方向に傾斜して下方に突出する傾斜壁とにより形成された空間部にクリップローラを挿入し、該クリップローラと前記垂直部との間でペーパーをクリップするものとする。
【００１２】
(６)  上記(５)項において、ペーパークリップの垂直部とフック部に掛止した筆記ボードの筆記面とを、同一面上に配置する。
【発明の効果】
【００１３】
本発明によると、次のような効果を奏することができる。
(ａ)請求項１記載の発明によると、下端部にフック部が形成されたレール部材を壁面に水平に取付け、このレール部材の前面にペーパークリップ部を備えたカバー部材を着脱自在に取付けたので、フック部に各種筆記ボード類を掲示できると共に、ペーパークリップにペーパーを掲示でき、壁面の材質いかんにかかわらず多種の掲示物を掲示できる。また、カバー部材によりレール部材の前面を覆うことができるので、例えばレール部材の止めねじ等を隠すことができる。
【００１４】
(ｂ)請求項２記載の発明によると、レール部材の取付基部の下端部に全長にわたるフック部を形成したので、このフック部の任意の位置に各種の筆記ボード類を引掛けて掲示できるとともに、カバー部材を上部係止片と下部係止片で係止するので、簡単かつ確実にカバー部材をレール部材に取付けてペーパークリップとして使用できる。
【００１５】
(ｃ)請求項３記載の発明によると、カバー部材の後面部にレール部材に吸着する磁石を取付けたので、カバー部材はワンタッチでレール部材に装着できる。
【００１６】
(ｄ)請求項４記載の発明によると、レール部材のフック部に筆記ボードを掛止したので、筆記面を種々の筆記に使用できる。
【００１７】
(ｅ)請求項５記載の発明によると、カバー部材の前部の垂直部と傾斜壁とにより形成された空間部にクリップローラを挿入し、このクリップローラと垂直部との間でペーパーをクリップするものとするようにしたので、クリップローラと傾斜壁とのくさび作用でペーパーが確実にクリップできる。
【００１８】
(ｆ)請求項６記載の発明によると、ペーパークリップの垂直部とフック部に引掛けた筆記ボードの筆記面とは同一面上にあるので、ペーパーが筆記ボードの筆記面に密接して、筆記ボードが下敷きの役目を果たし、ペーパーへの筆記が容易になる。
【発明を実施するための最良の形態】
【００１９】
以下、本発明の一実施形態を，図面に基づいて説明する。
図１は、本発明の一実施形態を備える掲示物ハンガーの使用時の状態を示す斜視図である。
【００２０】
同図に示すように、この掲示物ハンガー（１）は、壁面（２）に水平方向に取付けられた横長形状のものである。図示の使用形態では、ホワイトボード等とした筆記ボード（Ｂ）、小サイズの筆記ボード（ｂ）およびペーパー（Ｐ）(P1)を吊り下げて掲示した状態を示している。
【００２１】
図２は、掲示物ハンガーの分解状態を示す縦断側面図である。
同図に示すように、掲示物ハンガー（１）は、壁面（２）に固定されたレール部材（３）と、このレール部材（３）に着脱自在に取付けられるカバー部材（８）とからなっている。
【００２２】
レール部材（３）は、垂直の取付基部（４）の上端部に上部係止片（５）が前方に突出され、取付基部（４）の中間部に幅狭の下部係止片(６)が前方に突出され、取付基部（４）の下端部にはフック部(７)が形成されたレール状のものであって、取付基部（４）は止めねじ(９)を介して壁面（２）に取付けられている。
【００２３】
カバー部材（８）は、中央の垂直部（10）の後部に取付部（11）、前部にペーパークリップ部（12）が形成されたものである。取付部（11）の上面に弧状の係合溝（13）が、下部に後方を向く係止突片（14）が形成され、後面には磁石(15)が取付けられている。
【００２４】
ペーパークリップ部（12）は、垂直部（10）の前方に、この垂直部（10）との間隔が下方に向かって狭まるように傾斜した傾斜部（16）が下方に延びて形成され、この傾斜部（16）の内側の空間部（17）にクリップローラ(18)が挿入された構成である。このクリップローラ（18）はカバー部材（８）のほぼ全長にわたって配置されている。
【００２５】
図３に示すように、カバー部材（８）は、後面に取付けられた磁石(20)を介してレール部材（３）に吸着されるとともに、上面の係止溝(13)がレール部材（３）の上部係止片（５）の前端部に形成された下向きの凸部（5a）に係止され、下端の係止突片(14)が下部係止片(６)の上面に係止している。カバー部材（８）を取り外すときは、磁石(15)の吸着をはがすことにより、係止溝(13)と凸部（5a）の係止がはずれ、簡単にレール部材（３）から取り外すことができる。
【００２６】
筆記ボード（Ｂ）は、ホワイトボードとしたボード本体(20)と、ボード本体(20)の上端縁および下端縁の各々に取付けられた上枠(21)および下枠(22)とにより構成されている。上枠(21)および下枠(22)の後面には、左右方向を向く掛止溝(23)が形成され、かつ、後面には磁石(24)が取付けられられている。
図３に示すように、筆記ボード（Ｂ）は、上枠(21)の掛止溝(23)をフック部(７)に掛止することにより、壁面（２）に吊下げられる(図１参照)。この状態で筆記ボード（Ｂ）の筆記面に自由に筆記できる。
【００２７】
ペーパー(Ｐ)は、クリップローラ(７)と垂直部（10）との間に下から挿入し、そのまま引き下げると、傾斜部（16）とクリップローラ(７)とのくさび作用により、クリップローラ(７)と垂直部（10）との間に挟み込まれ、掲示物ハンガー(１)に吊り下げられる。
【００２８】
図１に示すように、必要に応じてペーパー(P1)を筆記ボード（Ｂ）の前面に吊下げることもできる。この場合、筆記ボード（Ｂ）の筆記面と垂直部（10）の前面とは同一面となっていることが好ましい(図３参照)。このようにすると、ペーパークリップ部（12）で吊下げられたペーパー（Ｐ）が筆記ボード（Ｂ）の筆記面に密接するため、筆記ボードが下敷きの役目を果たし、ペーパーへの筆記が容易になる。
【００２９】
前述のように、サイズや種類の異なる筆記ボード（ｂ）を吊下げることもでき、さらに、必要に応じて筆記し終わった筆記ボードを取り外して保存しておき、新たな筆記ボードを吊下げて使用することも可能である。このように、一本の掲示物ハンガー（１）を壁面（２）に取付けておくことにより、バラエティーに富んだ使用形態が可能となる。
【図面の簡単な説明】
【００３０】
【図１】図１は、本発明の一実施形態である掲示物ハンガーの使用状態を示す斜視図である。
【図２】同じく、掲示物ハンガーと筆記ボードの上部との分解縦断側面図である。
【図３】同じく、掲示物ハンガーの使用状態の縦断側面図である。
【符号の説明】
【００３１】
（１）掲示物ハンガー
（２）壁面
（３）レール部材
（４）取付基部
（５）上部係止片
（６）下部係止片
（７）フック部
（８）カバー部材
（９）止めねじ
（10）垂直部
（11）取付部
（12）ペーパークリップ部
（13）係合溝
（14）係止突片
（15）磁石
（16）傾斜部
（17）空間部
（18）クリップローラ
（20）ボード本体
（21）上枠
（22）下枠
（23）掛止溝
(24)磁石
(Ｐ)(P1)ペーパー
(Ｂ)筆記ボード
（ｂ）筆記ボード
【図１】
2005141000.tif 000003
【図２】
2005141000.tif 000004
【図３】
2005141000.tif 000005